(57)【要約】      （修正有）【課題】小型化が可能であるとともに、施工がしやすい照明装置を提供する。【解決手段】照明装置１００は、光軸を有する灯体２００と、光軸と交差するＸ方向に設けた電源装置３００と、光軸を含むＸＺ平面に沿って配置され、灯体２００と電源装置３００を接続した接続部４００とを有する。接続部４００は、光軸と直交する方向の灯体２００の最大幅および交差する方向と直交する方向の電源装置３００の最大幅より小さい幅を有する。【選択図】図１
2020042904.tif 000002
【特許請求の範囲】
【請求項１】
光軸を有する灯体と；
前記光軸と交差する方向に設けた電源装置と；
前記光軸を含む平面に沿って配置され、前記灯体と前記電源装置を接続した接続部と；
を有する照明装置。
【請求項２】
前記接続部は、前記光軸と直交する方向の前記灯体の最大幅および前記交差する方向と直交する方向の前記電源装置の最大幅より小さい幅を有する、
請求項１の照明装置。
【請求項３】
前記灯体は、前記平面に沿って前記光軸を傾けるチルト機構を有する、
請求項１または請求項２の照明装置。
【発明の詳細な説明】
【技術分野】
【０００１】
本発明の実施形態は、例えば、建物の天井に設けた取付孔に取り付けるダウンライトなどの照明装置に関する。
【背景技術】
【０００２】
従来、建物の天井に取り付ける照明装置として、天井に設けた取付孔に埋設するダウンライトが知られている。ダウンライトは、例えば、光源を備えた灯具と、灯具に連結した点灯装置と、を有する。この種のダウンライトを天井の取付孔に取り付ける場合、天井裏に配線した給電ケーブルを取付孔から引き出して点灯装置に接続し、取付孔を介して点灯装置を給電ケーブルごと天井裏に押し込んで、点灯装置につながった灯具を取付孔に固定する。
【０００３】
天井裏のスペースが狭い場合、鉛直方向に向く灯具の光軸と交差する横方向に点灯装置を設置する必要がある。このため、点灯装置を灯具に対して回動可能に連結して、天井裏の狭いスペースに点灯装置を設置可能にしたダウンライトが知られている。
【先行技術文献】
【特許文献】
【０００４】
【特許文献１】特開２０１７−１６２７８８号公報
【発明の概要】
【発明が解決しようとする課題】
【０００５】
近年、天井の取付孔を小さくして、ダウンライトを小型化する要求が高まりつつある。例えば、上述した従来のダウンライトを小型化しようとした場合、取付孔の大きさに合わせて、灯具の直径を小さくするとともに、取付孔を通す点灯装置も小さくする必要がある。また、この場合、灯具と点灯装置を連結した連結部も取付孔に通す必要があるため、取付孔の大きさに合わせて連結部も細くする必要がある。
【０００６】
しかし、連結部を細くすると、その分、連結部の機械強度が低下してしまう。一方、点灯装置に接続する給電ケーブルは硬くて変形し難いものが多く、取付孔を介して点灯装置を天井裏に押し込む際に、給電ケーブルから点灯装置に比較的強い応力が作用する。
【０００７】
このため、連結部の機械強度が低いと、給電ケーブルから点灯装置に応力が作用した際に、連結部が破壊されてしまう可能性がある。或いは、このような連結部の破壊を生じないように、照明装置を取付孔に慎重に取り付ける必要があり、施工が難しくなる。
【０００８】
よって、小型化が可能であるとともに、施工がしやすい照明装置の開発が望まれている。
【課題を解決するための手段】
【０００９】
実施形態に係る照明装置は、光軸を有する灯体と、光軸と交差する方向に設けた電源装置と、光軸を含む平面に沿って配置され、灯体と電源装置を接続した接続部と、を有する。
【発明の効果】
【００１０】
実施形態によると、小型化が可能であるとともに、施工がしやすい照明装置を提供することができる。
【図面の簡単な説明】
【００１１】
【図１】図１は、実施形態に係る照明装置を光の出射側から見た斜視図である。
【図２】図２は、図１の照明装置を灯体の放熱フィン側から見た斜視図である。
【図３】図３は、図１の照明装置を電源装置のコネクタ側から見た斜視図である。
【図４】図４は、図１の照明装置の灯体のレンズ枠およびその周辺構造を示す部分拡大斜視図である。
【図５】図５は、図１の照明装置の灯体の放熱器を示す斜視図である。
【図６】図６は、図１の照明装置の電源装置のケースのベース部材を示す斜視図である。
【図７】図７は、図１の照明装置の電源装置のケースのカバー部材を示す斜視図である。
【発明を実施するための形態】
【００１２】
照明装置１００は、光軸Ｏを有する灯体２００と、光軸Ｏと交差するＸ方向に設けた電源装置３００と、光軸Ｏを含むＸＺ平面に沿って配置され、灯体２００と電源装置３００を接続した接続部４００と、を有する。
【００１３】
以下、図面を参照しながら実施形態について詳細に説明する。  
図１乃至図３に示すように、実施形態に係る照明装置１００は、灯体２００と電源装置３００を有する。また、照明装置１００は、灯体２００と電源装置３００を接続した接続部４００を有する。照明装置１００は、例えば、建物の天井に設けた図示しない取付孔を介して天井に取り付け可能なダウンライトである。
【００１４】
以下の説明では、照明装置１００を天井の取付孔に取り付けた状態で、灯体２００の光軸Ｏと重なる軸をＺ軸とし、Ｚ軸と直交するとともに後述する光源モジュール５４の発光面５４ｃに含まれる軸をＸ軸とし、Ｘ軸およびＺ軸と直交する発光面５４ｃに含まれる軸をＹ軸とする。そして、各図において、Ｘ軸と平行な方向を矢印Ｘで示し、Ｙ軸と平行な方向を矢印Ｙで示し、Ｚ軸と平行な方向を矢印Ｚで示す。
【００１５】
灯体２００は、レンズ枠１０、支持枠２０、化粧枠３０、反射板４０、および放熱器５０（放熱部材）を有する。支持枠２０は、レンズ枠１０を支持固定する。化粧枠３０は、内側に支持枠２０を固定する。反射板４０は、支持枠２０の内側に取り付けられる。化粧枠３０は、天井の取付孔に固定される。放熱器５０は、レンズ枠１０に固定される。
【００１６】
電源装置３００は、ケース６０、回路基板７０（図２参照）、およびコネクタ８０を有する。ケース６０は、内部に回路基板７０を収容配置している。ケース６０は、ＸＺ平面に沿った扁平な矩形ブロック状に形成されている。ケース６０は、後述する接続部４００とは反対側の長手方向（Ｘ方向）の一端に、図示しない給電ケーブルを接続するコネクタ８０を備えている。
【００１７】
接続部４００は、Ｚ方向に沿って配置した灯体２００に対して電源装置３００をＸ方向に延在させるように両者をＬ字状に接続する。接続部４００は、板状体４１０（図２）を含む。板状体４１０は、ＸＺ平面に沿って設けられている。板状体４１０は、灯体２００の放熱器５０と電源装置３００の後述する横壁６１ａを連結固定している。
【００１８】
照明装置１００を天井の取付孔に取り付ける場合、まず、取付孔から引き出した図示しない給電ケーブルを電源装置３００のコネクタ８０に接続する。そして、電源装置３００を給電ケーブルとともに取付孔に押し込む。さらに、灯体２００を持って照明装置１００をＸＺ平面に沿って回動させながらＬ字状の接続部４００を取付孔に通す。最後に、灯体２００を取付孔に固定する。このため、電源装置３００および接続部４００は、取付孔に通すことができる大きさに設計する必要がある。
【００１９】
以下、照明装置１００の各部の構造を詳細に説明する。  
図４に示すように、レンズ枠１０は、略円筒状の筒状部１１、および筒状部１１の図示下端（Ｚ方向の下端）に連続した略円筒状のスカート部１２を一体に有する。図４では、レンズ枠１０を透明に図示して、レンズ枠１０の内側に配置した構造物を破線で図示した。レンズ枠１０は、筒状部１１およびスカート部１２を同軸に有する。レンズ枠１０の中心軸は、灯体２００の光軸Ｏと重なる。レンズ枠１０は、その内側に、筒状部１１およびスカート部１２の全長にわたってＺ方向に延びた通孔を有する。
【００２０】
筒状部１１は、その内側にレンズ１３を保持している。レンズ１３は、その外周上に円環状のフランジ部１３ａを一体に有する。レンズ１３を筒状部１１に取り付ける場合、筒状部１１のスカート部１２とは反対側の端部（図示上端）からレンズ１３を筒状部１１内の通孔に挿入する。そして、フランジ部１３ａを筒状部１１の内面に設けた図示しない円環状の段部上に載置する。さらに、フランジ部１３ａの図示上方（段部と反対側）から略円環状の取付バネ１４を筒状部１１内に挿入して、取付バネ１４を筒状部１１の図示しない所定の溝内に固定する。これにより、レンズ１３のフランジ部１３ａを筒状部１１の内面に設けた段部と取付バネ１４により挟んで、レンズ１３をレンズ枠１０に固定する。
【００２１】
この状態で、レンズ１３の光軸は灯体２００の光軸Ｏと重なる。レンズ１３は、筒状部１１のＺ方向の長さよりわずかに大きい光軸方向の厚みを有する。レンズ１３は、光の入射側（Ｚ方向の上端）に凹面を有する。レンズ１３は、光の出射側（Ｚ方向の下端）に凸面を有する。
【００２２】
筒状部１１は、その外周面上に、２枚の連結板９１（図１参照）を固定するための２つの切欠き部１１ａを有する。２つの切欠き部１１ａは、筒状部１１の径方向（Ｙ方向）に離間対向して設けられている。各切欠き部１１ａの図示下端は、筒状部１１の図示下端まで延びている。各切欠き部１１ａの図示上端には、筒状部１１の外周面との間に係合段部１１ｂが設けられている。各切欠き部１１ａは、筒状部１１の中心軸と平行な平らな底面を有する。２つの切欠き部１１ａの底面はＸＺ平面と平行である。各切欠き部１１ａの底面には、連結板９１を筒状部１１に締結固定するためのネジ穴１１ｃがそれぞれ設けられている。
【００２３】
連結板９１は、後述する支持枠２０と筒状部１１（および放熱器５０）を連結する。図１乃至図３に示すように、連結板９１は、灯体２００の光軸Ｏ方向に延設される矩形の板状体である。連結板９１は、例えば帯状の板金により形成されている。連結板９１は、筒状部１１の周方向に沿った切欠き部１１ａの幅より狭い幅を有する。連結板９１が切欠き部１１ａの係合段部１１ｂに係合する図示上端には、係合段部１１ｂに沿って横方向に突出した突起部９１ａが設けられている。突起部９１ａは連結板９１の上端において連結板９１の幅方向の一側に突出している。
【００２４】
連結板９１を切欠き部１１ａに固定する場合、連結板９１の上端を切欠き部１１ａの係合段部１１ｂに係合させて連結板９１の背面を切欠き部１１ａの底面に接触させる。そして、連結板９１に設けた図示しない挿通孔を介して固定ネジ９２（図１）を挿通し、切欠き部１１ａの底面に設けたネジ穴１１ｃに螺合する。このように、連結板９１の上端を切欠き部１１ａの係合段部１１ｂに係合させた状態で連結板９１を切欠き部１１ａに固定することにより、連結板９１が固定ネジ９２を中心に回動することを防止している。
【００２５】
筒状部１１は、この他に、図示上端縁部に、軸方向に突出した２つの連結片１１ｄを一体に有する。各連結片１１ｄは、各切欠き部１１ａに対し、スカート部１２と反対側に連続して設けられている。言い換えると、各連結片１１ｄの図示下端は、切欠き部１１ａの係合段部１１ｂを構成している。２つの連結片１１ｄは、筒状部１１の中心軸を挟んで径方向（Ｙ方向）の両側に離間した位置に設けられ、ＸＺ平面と平行に配置されている。連結片１１ｄは、後述するように、筒状部１１の軸方向一端（図示上端）に放熱器５０を連結するための固定ネジ９３を挿通する挿通孔１１ｅを有する。
【００２６】
スカート部１２は、後述する光源からの光を出射するＺ方向に向けて拡開する略円錐台形状を有する。スカート部１２の最も大径となる下端は、筒状部１１よりわずかに小径である。スカート部１２は、２つの引っ掛け孔１２ａを有する。２つの引っ掛け孔１２ａは、筒状部１１の２つの切欠き部１１ａと周方向に９０°位相を異ならせた位置でスカート部１２を貫通して設けられている。つまり、２つの引っ掛け孔１２ａは、スカート部１２の径方向（Ｘ方向）に離間して設けられている。
【００２７】
筒状部１１の切欠き部１１ａに固定する上述した２枚の連結板９１は、スカート部１２の図示下端縁を超えて図示下方に突出した下端を有する。各連結板９１の下端近くには固定ネジ２２を挿通するための図示しない挿通孔がそれぞれ設けられている。支持枠２０は、その外周面に、径方向に離間した２つの図示しないネジ穴を有する。すなわち、レンズ枠１０に固定した２枚の連結板９１の下端に設けた挿通孔に固定ネジ２２をそれぞれ挿通し、支持枠２０に設けたネジ穴に螺合する。これにより、２枚の連結板９１の下端に支持枠２０が固定される。
【００２８】
支持枠２０は、化粧枠３０の内側に固定される。そして、支持枠２０の内側に反射板４０が取り付けられる。化粧枠３０は、天井の図示しない取付孔よりわずかに大きな外径を有する。反射板４０は、Ｚ方向に向かって拡開する略円錐台形状を有する。支持枠２０、化粧枠３０、および反射板４０の固定構造については、詳細な説明を省略する。
【００２９】
化粧枠３０は、化粧枠３０を天井に固定するための３つの固定バネ３２を有する。３つの固定バネ３２は、化粧枠３０の外周面に取り付けられている。固定バネ３２は、化粧枠３０の外周面に対して接線方向に延設された固定部３２ａと、固定部３２ａの先端側から化粧枠３０の径方向に一体に放射状に延設されたバネ部３２ｂと、を有する。３つの固定バネ３２は、固定部３２ａが同じ方向に向く姿勢で化粧枠３０に取り付けられる。
【００３０】
固定バネ３２は、固定部３２ａを化粧枠３０の外周面に近付ける方向に変形可能であるとともに、バネ部３２ｂをレンズ枠１０に近づく方向に変形可能である。このため、３つの固定バネ３２を化粧枠３０より小径な取付孔に挿通可能となっている。これら３つの固定バネ３２を用いた化粧枠３０の取り付け方法についてはその説明を省略する。
【００３１】
図５に示すように、放熱器５０は、レンズ枠１０の一端を塞ぐ略円板状のベース板５１を有する。ベース板５１の外周縁には、上述したレンズ枠１０の２つの連結片１１ｄを嵌合するための２つの切欠き５１ａが設けられている。２つの切欠き５１ａは、レンズ枠１０の２つの連結片１１ｄに対向して、ベース板５１の径方向（Ｙ方向）に離間した位置に設けられている。
【００３２】
ベース板５１のレンズ枠１０と反対側の上面には、複数枚（本実施形態では５枚）の放熱フィン５２ａ、５２ｂ、５２ｃ、５２ｄ、５２ｅが一体に立設されている。各放熱フィン５２ａ、５２ｂ、５２ｃ、５２ｄ、５２ｅは、ＸＺ平面に沿って互いに略平行に延設されている。放熱フィン５２ａ、５２ｂ、５２ｃ、５２ｄ、５２ｅは、ベース板５１の上面から鉛直上方に延びている。５枚の放熱フィン５２ａ、５２ｂ、５２ｃ、５２ｄ、５２ｅのうちＹ方向の内側の３枚の放熱フィン５２ｂ、５２ｃ、５２ｄは、ベース板５１から上方に延びた後、ＸＺ平面に沿って電源装置３００に向けて横方向（光軸Ｏと交差する方向）に延びている。
【００３３】
５枚の放熱フィン５２ａ、５２ｂ、５２ｃ、５２ｄ、５２ｅのうち外側の２枚の放熱フィン５２ａ、５２ｅは、上述した切欠き５１ａに対向してレンズ枠１０の２つの連結片１１ｄが重なるボス部５３を備えている。各ボス部５３は、切欠き５１ａに連続して、放熱フィン５２ａの外側、および放熱フィン５２ｅの外側に一体に設けられている。各ボス部５３には、連結片１１ｄの挿通孔１１ｅに挿通する固定ネジ９３を螺合するためのネジ穴５３ａが設けられている。
【００３４】
放熱器５０をレンズ枠１０の一端に固定する場合、レンズ枠１０の２つの連結片１１ｄを放熱器５０のベース板５１の切欠き５１ａに嵌合し、各連結片１１ｄの内側にボス部５３を重ねる。このとき、放熱器５０のベース板５１の下面がレンズ枠１０の筒状部１１の上端に当接する。そして、２つの連結片１１ｄの外側から挿通孔１１ｅに固定ネジ９３をそれぞれ挿通し、ボス部５３のネジ穴５３ａに螺合して締結する。これにより、放熱器５０がレンズ枠１０の一端に固定される。
【００３５】
図４に示すように、放熱器５０のベース板５１の下面には、光源モジュール５４が取り付けられている。光源モジュール５４は、ＬＥＤ（light emitting diode）などの図示しない複数の半導体発光素子を含む発光部５４ａ（光源）を有し、発光部５４ａを基板５４ｂの表面に設けた構造を有する。発光部５４ａは、ＸＹ平面と平行な発光面５４ｃを有し、この発光面５４ｃの中心を通る発光面５４ｃと垂直な軸が光軸Ｏとなる。つまり、発光面５４ｃの中心がＸ軸、Ｙ軸、Ｚ軸の交点となる。発光部５４ａの光軸Ｏは、レンズ１３の光軸Ｏと一致する。発光部５４ａは、光軸Ｏを中心とした光を出射する。
【００３６】
図５に示すように、放熱器５０は、５枚の放熱フィン５２ａ、５２ｂ、５２ｃ、５２ｄ、５２ｅのうち内側の３枚の放熱フィン５２ｂ、５２ｃ、５２ｄを電源装置３００に向けて部分的に一体に延出させた延出部分５５を有する。つまり、延出部分５５は、放熱器５０のＹ方向の幅より狭い幅にするため、内側の３枚の放熱フィン５２ｂ、５２ｃ、５２ｄをＸ方向に延出させて形成している。放熱フィンの枚数は５枚に限定されず任意に変更可能であり、延出部分５５を設ける放熱フィンの枚数も変更可能である。
【００３７】
延出部分５５は、３枚の放熱フィン５２ｂ、５２ｃ、５２ｄのうちＹ方向の外側の１枚の放熱フィン５２ｂをＸ方向に延長した縦板部５５ａを含む。放熱フィン５２ｂと縦板部５５ａとの間には、段部５５ｂが設けられている。縦板部５５ａは光軸Ｏを含むＸＺ平面と平行に配置され、段部５５ｂはＺ方向に延設されている。段部５５ｂは、縦板部５５ａを放熱フィン５２ｂよりわずかに外側に配置する。このように、縦板部５５ａは必ずしも放熱フィン５２ｂを真っ直ぐ延長させる必要はないが、放熱フィン５２ｂをそのまま真っ直ぐに延長させてもよい。また、縦板部５５ａの板厚は、放熱フィン５２ｂと同じ板厚にする必要もない。縦板部５５ａは、電源装置３００のケース６０を固定するための固定ネジ９５、９６（図１、２）を螺合する２つのネジ穴５６ａ、５６ｂを有する。
【００３８】
また、延出部分５５は、３枚の放熱フィン５２ｂ、５２ｃ、５２ｄのＺ方向の下端をつなげた横板部５５ｃを含む。横板部５５ｃは、ＸＹ平面と平行に配置される。横板部５５ｃのＹ方向の一端は、縦板部５５ａの内面に一体につながる。横板部５５ｃのＹ方向の他端は、放熱フィン５２ｄをＸ方向に延出した延出板部５５ｄの内面に一体につながる。横板部５５ｃの上面には、Ｈ形の台座５５ｅが一体に設けられている。台座５５ｅのＹ方向の一端は、縦板部５５ａの内面に一体につながる。台座５５ｅのＹ方向の他端は、放熱フィン５２ｄの延出板部５５ｄの内面に一体につながる。台座５５ｅは、電源装置３００のケース６０を固定するための固定ネジ９７（図２）を螺合するネジ穴５６ｃを有する。
【００３９】
ケース６０は、回路基板７０（図２）およびコネクタ８０（図３）を取り付けるベース部材６１、およびカバー部材６２を有する。図６はベース部材６１の斜視図であり、図７はカバー部材６２の斜視図である。ベース部材６１およびカバー部材６２は、それぞれ一枚の金属板により形成されている。
【００４０】
図６に示すように、ベース部材６１は、ＸＺ平面と平行に配置されるケース６０の横壁６１ａを含む。回路基板７０は、ＸＺ平面と平行な姿勢で横壁６１ａの内面側に取り付けられる。横壁６１ａの長手方向の一端（Ｘ方向の図示右端）には、放熱器５０に向けてＸ方向に延出した延出板部６１ｂが一体に設けられている。延出板部６１ｂは、横壁６１ａのＺ方向の幅より狭い幅を有する。延出板部６１ｂは、ＸＺ平面と平行に配置される。延出板部６１ｂは、放熱器５０の放熱フィン５２ｂに連続した縦板部５５ａの内面側に重ねて配置される。延出板部６１ｂは、縦板部５５ａのネジ穴５６ａ、５６ｂに重なる挿通孔６３ａ、６３ｂを有する。
【００４１】
延出板部６１ｂのＺ方向の下端辺には、ＸＹ平面と平行に配置される板片６１ｃが一体に連続して設けられている。板片６１ｃは、放熱器５０の延出部分５５の横板部５５ｃの内面に設けた台座５５ｅの上に重ねて配置される。板片６１ｃは、台座５５ｅのネジ穴５６ｃに重なる挿通孔６３ｃを有する。
【００４２】
横壁６１ａのＺ方向の上端辺には、後述するカバー部材６２の天壁６２ｂを内側から支える上支え板６１ｄが一体に連続して設けられている。上支え板６１ｄは、ＸＹ平面と平行に配置される。上支え板６１ｄは、横壁６１ａの上端辺の略全長にわたって設けられている。また、横壁６１ａのＺ方向の下端辺には、後述するカバー部材６２の底壁６２ｃを内側から支える下支え板６１ｅが一体に連続して設けられている。下支え板６１ｅは、ＸＹ平面と平行に配置される。下支え板６１ｅは、横壁６１ａの下端辺の略全長にわたって設けられている。
【００４３】
横壁６１ａの長手方向に沿って延出板部６１ｂと反対側（図６で左側）の端辺には、断面略Ｌ字形の端板６１ｆが一体に連続して設けられている。端板６１ｆは、横壁６１ａの端辺に連続してＹＺ平面と平行に配置された第１部分６１ｆ−１と、第１部分６１ｆ−１に連続してＸＺ平面と平行に配置された第２部分６１ｆ−２と、を含む。第１部分６１ｆ−１は、コネクタ８０と灯体２００の光源モジュール５４を接続する図示しない配線を通すための孔６３ｄを有する。第２部分６１ｆ−２は、コネクタ８０の２つの位置決めボス８１を受け入れる２つの位置決め孔６３ｅおよびコネクタ８０を締結固定するための図示しない固定ネジを螺合するネジ穴６３ｆを有する。
【００４４】
コネクタ８０は、図示しない固定ネジを挿通する挿通孔８２（図３）を有する。挿通孔８２は、コネクタ８０をＹ方向に貫通して設けられている。コネクタ８０を端板６１ｆの第２部分６１ｆ−２に固定する際には、コネクタ８０の２つの位置決めボス８１を第２部分６１ｆ−２の２つの位置決め孔６３ｅに挿通してコネクタ８０を第２部分６１ｆ−２に重ねて位置決めする。この状態で、図示しない固定ネジをコネクタ８０の挿通孔８２に挿通して第２部分６１ｆ−２のネジ穴６３ｆに螺合してコネクタ８０を第２部分６１ｆ−２に締結固定する。
【００４５】
コネクタ８０は、建物の天井裏に配線した図示しない給電ケーブルを接続するための接続孔８３を有する。コネクタ８０は、接続孔８３を介して差し込まれた給電ケーブルを接続する図示しない接続端子を有する。接続孔８３は、Ｘ方向に延設されている。
【００４６】
図７に示すように、カバー部材６２は、ベース部材６１と組み合わされてケース６０を構成する。カバー部材６２は、ケース６０を構成した状態で、ベース部材６１の横壁６１ａに対向する横壁６２ａを含む。横壁６２ａは、ベース部材６１の横壁６１ａと略同じ形状を有する。横壁６２ａは、ＸＺ平面と平行に配置される。
【００４７】
横壁６２ａのＺ方向の一端辺（図示下端側）には、ベース部材６１の上支え板６１ｄの外側に重なる天壁６２ｂが一体に連続して設けられている。天壁６２ｂは、ＸＹ平面と平行に配置され、コネクタ８０のＺ方向の上端を覆う位置まで延びている。横壁６２ａのＺ方向の他端辺（図示上端側）には、ベース部材６１の下支え板６１ｅの外側に重なる底壁６２ｃが一体に連続して設けられている。底壁６２ｃは、ＸＹ平面と平行に配置される。横壁６２ａのＸ方向の一端辺（灯体２００側）には、端壁６２ｄが一体に連続して設けられている。端壁６２ｄは、ＹＺ平面と平行に配置される。天壁６２ｂ、底壁６２ｃ、および端壁６２ｄは、それぞれ横壁６２ａの端辺から連続して設けられており、Ｙ方向に沿った端辺同士は接続していない。
【００４８】
端壁６２ｄは、上述した図示しない配線を通す孔６４ａを有する。端壁６２ｄの横壁６２ａから離間した端辺には、ＸＺ平面と平行に延びた板片６２ｅが一体に連続して設けられている。板片６２ｅは、固定ネジ９５を挿通するための挿通孔６４ｂを有する。挿通孔６４ｂは、ベース部材６１の延出板部６１ｂの挿通孔６３ａに重なる。
【００４９】
放熱器５０にケース６０を取り付ける場合、予め回路基板７０をベース部材６１に取り付けておく。そして、ベース部材６１の延出板部６１ｂを放熱器５０の延出部分５５の縦板部５５ａの内側に重ねるとともに、ベース部材６１の板片６１ｃを放熱器５０の延出部分５５の台座５５ｅの上に重ねる。この状態で、延出板部６１ｂの挿通孔６３ｂを介して固定ネジ９６を挿通して、縦板部５５ａのネジ穴５６ｂに螺合するとともに、板片６１ｃの挿通孔６３ｃを介して固定ネジ９７を挿通して、台座５５ｅのネジ穴５６ｃに螺合する。これにより、回路基板７０を備えたベース部材６１が放熱器５０に固定される。ベース部材６１の延出板部６１ｂおよび放熱器５０の放熱フィン５２ｂを延長した縦板部５５ａは、ＸＺ平面に沿った板状体４１０となる。
【００５０】
そして、回路基板７０を覆うように、カバー部材６２をベース部材６１に組み合わせる。このとき、カバー部材６２の天壁６２ｂをベース部材６１の上支え板６１ｄの外側に重ね、カバー部材６２の底壁６２ｃをベース部材６１の下支え板６１ｅの外側に重ねる。また、このとき、カバー部材６２の板片６２ｅをベース部材６１の延出板部６１ｂの内側に重ねる。そして、カバー部材６２の板片６２ｅに設けた挿通孔６４ｂおよびベース部材６１の延出板部６１ｂに設けた挿通孔６３ａを介して固定ネジ９５を挿通し、放熱器５０の縦板部５５ａに設けたネジ穴５６ａに螺合する。これにより、カバー部材６２がベース部材６１および放熱器５０に共締めにより固定される。
【００５１】
さらに、コネクタ８０と灯体２００の光源モジュール５４を接続する図示しない配線を、ベース部材６１の端板６１ｆに設けた孔６３ｄおよびカバー部材６２の端壁６２ｄに設けた孔６４ａに通す。最後に、コネクタ８０をベース部材６１の端板６１ｆに固定する。
【００５２】
上述した照明装置１００は、比較的直径が小さい取付孔に取り付け可能な構造を有する。  
このように、小径な取付孔に照明装置１００を取り付ける場合、取付孔の大きさに合わせて灯体２００の直径も小さくする必要がある。この場合、発光出力を低下させないためには、灯体２００の直径を取付孔の直径と略同じにすることが望ましい。なお、ここで言う灯体２００の直径とは、取付孔を通るレンズ枠１０の外径である。
【００５３】
また、天井裏の高さ制限がある場合、灯体２００の放熱効果を高めるためには、放熱器５０の放熱フィン５２ａ〜５２ｅを上方および横方へ延在させることが有効である。このため、本実施形態では、放熱フィン５２ｂ〜５２ｄの先端を横方向に湾曲させて、Ｚ方向に延設した灯体２００に対して電源装置３００をＸ方向に配置している。つまり、電源装置３００を灯体２００に接続した接続部４００は、Ｌ字状の曲げ部分を有している。
【００５４】
接続部４００の曲げ部分は、灯体２００の直径が天井の取付孔と略同じである場合、少なくとも灯体２００の直径より細くする必要がある。つまり、曲げ部分は、取付孔を真っ直ぐ通過させることができないため、取付孔を真っ直ぐ通過させることができる電源装置３００や灯体２００と比べてより細くする必要がある。しかし、この曲げ部分を細くすると、接続部４００の機械強度の低下につながる。本実施形態のように、灯体２００の直径を小さくした場合、接続部４００の機械強度を維持することが難しい。よって、接続部４００を細くした上で機械強度を維持するための特別な構造が必要となる。
【００５５】
このため、本実施形態の照明装置１００は、接続部４００に以下の構造を持たせた。  
接続部４００は、放熱器５０の放熱フィン５２ｂ〜５２ｄの湾曲部分、放熱器５０の延出部分５５、およびベース部材６１の延出板部６１ｂを含む。接続部４００は、照明装置１００を灯体２００の光軸Ｏを含むＸＺ平面に沿って回動しながら取付孔に通す。このため、接続部４００をＹＺ平面に沿って切断した断面において、延出部分５５の縦板部５５ａおよび横板部５５ｃを２辺とする四角形の対角線が接続部４００の最大幅となる。つまり、この最大幅が取付孔の直径より小さくなるように、縦板部５５ａのＺ方向に沿った幅と横板部５５ｃのＹ方向に沿った幅が決められている。
【００５６】
同様に、取付孔に通す電源装置３００の最大幅は、ケース６０をＹＺ平面で切断した断面における横壁６１ａおよび天壁６２ｂを２辺とする四角形の対角線の長さに相当する。このため、電源装置３００のケース６０の横壁６１ａのＺ方向に沿った幅および天壁６２ｂのＹ方向に沿った幅は、上記対角線が取付孔の直径より小さくなるように決められている。また、灯体２００の光軸Ｏと直交する方向の最大幅（取付孔を通る部位の最大幅）は、上述したようにレンズ枠１０の外径に相当する。化粧枠３０の表面は天井面に露出して配置されるため、化粧枠３０の直径は、取付孔の直径よりわずかに大きい。言い換えると、所定の直径を有する円形の取付孔に対し、照明装置１００を取り付け可能となる接続部４００の上述した最大幅は、電源装置３００の最大幅および灯体２００の最大幅より小さければよいことになる。
【００５７】
また、接続部４００は、ＸＺ平面に沿って作用する応力に対する剛性を高めるため、以下の構造を有する。  
つまり、接続部４００は、灯体２００の光軸Ｏを含むＸＺ平面に沿って配置した、放熱フィン５２ｂ、５２ｃ、５２ｄの湾曲部分、放熱器５０の延出部分５５の縦板部５５ａ、および電源装置３００のケース６０の延出板部６１ｂを有する。本実施形態では、ＸＺ平面に沿って配置した放熱フィン５２ｂ、５２ｃ、５２ｄの湾曲部分、縦板部５５ａ、および延出板部６１ｂを介して灯体２００と電源装置３００を接続したため、ＸＺ平面に沿う方向の応力が電源装置３００に作用した場合における接続部４００の剛性を高めることができる。
【００５８】
例えば、電源装置３００を天井の取付孔に押し込む場合、電源装置３００をその長手方向に沿って取付孔に挿通する。そして、この後、灯体２００を把持して電源装置３００が天井面に沿う姿勢に照明装置１００を回動させる。このとき、給電ケーブルが天井裏の壁などに接触してその反力が応力として電源装置３００に作用することが考えられる。この応力は、ほとんどがＸＺ平面に沿う方向となる。このため、本実施形態のように、ＸＺ平面に沿って縦板部５５ａや延出板部６１ｂなどの板状部材を配置することで、給電ケーブルから作用する応力に対する接続部４００の剛性を高めることができる。
【００５９】
よって、本実施形態によると、接続部４００の機械強度を維持した上で、接続部４００の最大径を小さくして照明装置１００を小型化することができ、接続部４００が折れ曲がるような不具合を生じることなく、照明装置１００の取付孔に対する取り付け作業を容易にすることができる。
【００６０】
また、本実施形態によると、接続部４００のＸＺ平面に沿った方向の剛性を確保した上で、接続部４００を細くすることができるため、灯体２００から電源装置３００に電熱する部材となり得る接続部４００のＹＺ平面に沿った断面積を小さくすることができる。これにより、灯体２００の発光部５４ａから発生した熱を電源装置３００に伝わり難くすることができる。
【００６１】
また、本実施形態によると、ケース６０の横壁を延出させた延出板部６１ｂと放熱器５０の放熱フィン５２ｂを延長した縦板部５５ａを接合して灯体２００と電源装置３００を連結固定している。このため、灯体２００と電源装置３００を接続するための部材を別体で用意する必要がなく、その分、部品点数を少なくすることができ、照明装置１００の製造コストを低減することができる。
【００６２】
また、本実施形態によると、回路基板７０をケース６０の横壁に固定して、ＸＺ平面に沿う姿勢で配置した。このため、電源装置３００にＸＺ平面に沿った方向の応力が作用した場合であっても、回路基板７０が撓む方向に応力が作用し難い。つまり、照明装置１００の取り付け作業時において、回路基板７０に実装した電子部品が破損したり断線したりする不具合を防止することができる。
【００６３】
以上、本発明の実施形態を説明したが、上述した実施形態は、例として提示したものであり、発明の範囲を限定することは意図していない。上述した実施形態は、その他の様々な形態で実施されることが可能であり、発明の要旨を逸脱しない範囲で、種々の省略、置き換え、変更を行うことができる。上述した実施形態は、発明の範囲や要旨に含まれるとともに、特許請求の範囲に記載された発明とその均等の範囲に含まれる。
【００６４】
例えば、上述した実施形態では、放熱器５０の５枚の放熱フィン５２ａ〜５２ｅのうち１枚の放熱フィン５２ｂを延長した縦板部５５ａを介して電源装置３００のケース６０を固定した場合について説明したが、これに限らず、例えば、他の放熱フィン５２ｄをさらに延長してケース６０の横壁を支えるようにしてもよい。
【００６５】
また、本実施形態の照明装置１００は、灯体２００がＸＺ平面に沿って光軸Ｏを傾けるチルト機構を備えていてもよい。つまり、灯体２００の支持枠２０に対してレンズ枠１０を回動可能に連結してもよい。この場合、連結板９１と支持枠２０を固定した固定ネジ２２の代わりに、連結板９１と支持枠２０を回動可能に連結する図示しない回動軸を設ければよい。支持枠２０は、レンズ枠１０のスカート部１２の一部を当接させてレンズ枠１０の回動可能範囲を規制する。例えば、灯体２００の化粧枠３０を天井に固定した状態で、灯体２００の光軸ＯがＺ方向と平行となる姿勢から電源装置３００が起き上がる方向に所定角度範囲内でレンズ枠１０を回動可能とすることができる。
【００６６】
このように、化粧枠３０に対してレンズ枠１０を回動させた場合、灯体２００の光軸ＯがＸＺ平面に沿って傾く。すなわち、レンズ枠１０を支持枠２０に対して回動可能に支持した回動軸がレンズ枠１０および支持枠２０とともに灯体２００のチルト機構として機能する。また、支持枠２０に対してレンズ枠１０を回動させた場合、レンズ枠１０に固定した放熱器５０、接続部４００、および電源装置３００もＸＺ平面に沿って回動する。
【００６７】
つまり、灯体２００の光軸Ｏを傾ける動作時に、灯体２００に固定した電源装置３００も一緒にＸＺ平面に沿って傾く。このとき、電源装置３００に接続した給電ケーブルを介してケース６０に対してＸＺ平面に沿った方向の応力が作用することが考えられる。この場合においても、接続部４００がＸＺ平面に沿って配置した縦板部５５ａや延出板部６１ｂなどの板状部材を含むため、灯体２００の傾倒方向の応力に対する剛性を保つことができる。
【００６８】
なお、灯体２００の光軸Ｏを傾ける場合、照明装置１００を天井の取付孔に取り付ける前に、予め、支持枠２０に対してレンズ枠１０を傾けておく方法が考えられる。または、天井の取付孔に照明装置１００を取り付けた後に、灯体２００の光軸Ｏを傾けることもできる。この場合、天井面に取り付けた灯体２００の下方から図示しない工具を差し込んで、レンズ枠１０のスカート部１２に設けた引っ掛け孔１２ａに工具の先端を引っ掛けて、レンズ枠１０を支持枠２０に対して所望する角度に傾けることができる。
【符号の説明】
【００６９】
１０…レンズ枠、１３…レンズ、２０…支持枠、２２…固定ネジ、３０…化粧枠、４０…反射板、５０…放熱器、５２ａ、５２ｂ、５２ｃ、５２ｄ、５２ｅ…放熱フィン、５５…延出部分、５５ａ…縦板部、６０…ケース、６１…ベース部材、６１ｂ…延出板部、６２…カバー部材、７０…回路基板、８０…コネクタ、１００…照明装置、２００…灯体、３００…電源装置、４００…接続部、Ｏ…光軸。
【図１】
2020042904.tif 000003
【図２】
2020042904.tif 000004
【図３】
2020042904.tif 000005
【図４】
2020042904.tif 000006
【図５】
2020042904.tif 000007
【図６】
2020042904.tif 000008
【図７】
2020042904.tif 000009